(57)【要約】【課題】警備用センサの点検時に、監視センタへの不要な警報の送信を減らして監視業務の負担を軽減するとともに、警報の疎通確認を可能とする。【解決手段】監視領域３に備えられたセンサ４から異常を検知した旨を通知する検知信号を受信する検知信号入力部１３と、ユーザからの操作によって、検知信号を受信した場合に警備装置５に検知信号を送出する状態を示す警備状態と、検知信号を受信した場合に一度のみ警備装置５に前記検知信号を送出する状態を示す点検状態とを切替える警備状態切替部１５と、警備状態において検知信号が受信された場合に、警備装置５に検知信号を送出する検知信号出力部１４と、点検状態において検知信号が受信された場合に、一度のみ警備装置５に前記検知信号を送出する点検信号出力部１６とを備えた。【選択図】図３
2010238189.tif 000002
【特許請求の範囲】
【請求項１】
監視領域における異常を検知した場合に、ネットワークで接続された監視センタに警報を送信する警備装置に接続された設備信号点検用アダプタであって、
監視領域に設けられたセンサから異常を検知した旨の検知信号を受信する検知信号入力手段と、
ユーザからの操作によって、前記検知信号を受信した場合に前記警備装置に前記検知信号を送出する状態を示す警備状態と、前記検知信号を受信した場合に一度のみ前記警備装置に前記検知信号を送出する状態を示す点検状態とを切替える警備状態切替手段と、
前記警備状態において前記検知信号が受信された場合に、前記警備装置に前記検知信号を送出し、前記点検状態において前記検知信号が受信された場合に、一度のみ前記警備装置に前記検知信号を送出する検知信号出力手段と、
を備えたことを特徴とする設備信号点検用アダプタ。
【請求項２】
前記検知信号出力手段は、前記点検状態において、最初に前記検知信号を受信した場合に限り、前記警備装置に前記検知信号を送出することを特徴とする請求項１に記載の設備信号点検用アダプタ。
【請求項３】
前記検知信号出力手段は、前記点検状態において、前記点検状態を終了する場合に一度のみ前記警備装置に前記検知信号を送出することを特徴とする請求項１に記載の設備信号点検用アダプタ。
【請求項４】
前記点検状態であることを表示する表示手段をさらに備えたことを特徴とする請求項１に記載の設備信号点検用アダプタ。
【請求項５】
監視領域における異常を検知した場合に、ネットワークで接続された監視センタに警報を送信する警備装置に接続された設備信号点検用アダプタで実行される設備信号点検方法であって、
警備状態切替手段が、ユーザからの操作によって、監視領域に設けられたセンサから異常を検知した旨の検知信号を受信した場合に、前記警備装置に前記検知信号を送出する状態を示す警備状態と、前記検知信号を受信した場合に一度のみ前記警備装置に前記検知信号を送出する状態を示す点検状態とを切替える警備状態切替工程と、
検知信号入力手段が、前記検知信号を受信する検知信号入力工程と、
検知信号出力手段が、前記警備状態において前記検知信号が受信された場合に、前記警備装置に前記検知信号を送出し、前記点検状態において前記検知信号が受信された場合に、一度のみ前記警備装置に前記検知信号を送出する検知信号出力工程と、
を含むことを特徴とする設備信号点検方法。
【発明の詳細な説明】
【技術分野】
【０００１】
本発明は、設備信号点検用アダプタ、設備信号点検方法に関する。
【背景技術】
【０００２】
従来、監視領域に設置された人感センサ、火災報知器、エレベータ故障通報器等により設備の異常が検知された場合、設備内に設けられた警備装置がアラーム等により在宅者または設備利用者に報知したり、監視センタに異常を通報したりする遠隔警備システムが一般的に知られている。
【０００３】
このような遠隔警備システムは、正常に動作しているか否かを定期的に点検する必要がある。ところが、従来の警備装置は、点検時に全てのセンサからの通報（点検信号）を順次、監視センタに送信するため、多大な通報数となって本来の監視業務の妨げとなり、電話回線を用いた遠隔警備システムにおいては点検による通報の都度、監視センタ側で警報も受信するために使用される回線のうちの１つが占有され、さらに、点検のために多大な通信費用が発生するという問題があった。
【０００４】
これに対し、特許文献１では、定期点検モードスイッチを備えた火災受信器に関する技術が開示されており、定期点検モードスイッチを操作した場合に、火災受信機が定期点検に必要な機能状態となって動作し、消火栓との連動が停止され、信号の蓄積が解除されるため、点検作業時にかかるコストを低減することが可能である。
【０００５】
また、特許文献２では、保守点検作業中と設定された場合、異常検出情報を受信装置に送出しない端末装置を備えた遠隔監視システムに関する技術が開示されている。
【先行技術文献】
【特許文献】
【０００６】
【特許文献１】特開平５−２８３７４号公報
【特許文献２】特開平１０−１９４６２０号公報
【発明の概要】
【発明が解決しようとする課題】
【０００７】
しかしながら、特許文献２における遠隔監視システムでは、点検作業中、受信装置に一切の信号を送出しないため、監視センタと端末装置の間の通報疎通が確認できず、警備の信頼性を保つことが出来ないという問題があった。また、特許文献１における火災受信器に関しても、遠隔警備システムによって監視センタへの通報疎通を確認する技術に関しては述べられていない。
【０００８】
本発明は、上記に鑑みてなされたものであって、警備用センサの点検時に、監視センタへの不要な警報の送信を減らして監視業務の負担を軽減するとともに、警報の疎通確認を可能とする設備信号点検用アダプタおよび設備信号点検方法を提供することを目的とする。
【課題を解決するための手段】
【０００９】
上述した課題を解決し、目的を達成するために、本発明は、監視領域における異常を検知した場合に、ネットワークで接続された監視センタに警報を送信する警備装置に接続された設備信号点検用アダプタであって、監視領域に備えられた警備用のセンサから異常を検知した旨を通知する検知信号を受信する検知信号入力手段と、ユーザからの操作によって、前記検知信号を受信した場合に前記警備装置に前記検知信号を送出する状態を示す警備状態と、前記検知信号を受信した場合に一度のみ前記警備装置に前記検知信号を送出する状態を示す点検状態とを切替える警備状態切替手段と、前記警備状態において前記検知信号が受信された場合に、前記警備装置に前記検知信号を送出し、前記点検状態において前記検知信号が受信された場合に、一度のみ前記警備装置に前記検知信号を送出する検知信号出力手段と、を備えたことを特徴とする。
【００１０】
また、本発明は、監視領域における異常を検知した場合に、ネットワークで接続された監視センタに警報を送信する警備装置に接続された設備信号点検用アダプタにおいて、警備状態切替手段が、ユーザからの操作によって、監視領域に備えられた警備用のセンサから異常を検知した旨を通知する検知信号を受信した場合に、前記警備装置に前記検知信号を送出する状態を示す警備状態と、前記検知信号を受信した場合に一度のみ前記警備装置に前記検知信号を送出する状態を示す点検状態とを切替える警備状態切替工程と、検知信号入力手段が、前記検知信号を受信する検知信号入力工程と、検知信号出力手段が、前記警備状態において前記検知信号が受信された場合に、前記警備装置に前記検知信号を送出し、前記点検状態において前記検知信号が受信された場合に、一度のみ前記警備装置に前記検知信号を送出する検知信号出力工程と、を含むことを特徴とする。
【発明の効果】
【００１１】
本発明によれば、設備信号点検用アダプタが警備状態と点検状態とを切替えることによって、警備用センサの点検時に、監視センタへの不要な警報の送信を減らして監視業務の負担を軽減するとともに、警報の疎通確認が可能となるという効果を奏する。
【図面の簡単な説明】
【００１２】
【図１】図１は、実施の形態１にかかる設備信号点検用アダプタ１が設置された遠隔監視システムを説明する図である。
【図２】図２は、実施の形態１にかかる点検用アダプタ１の外観を示す図である。
【図３】図３は、実施の形態１にかかる点検用アダプタ１の機能的構成を説明するブロック図である。
【図４】図４は、実施の形態１にかかる点検用アダプタ１の外観を示す図である。
【図５】図５は、実施の形態１にかかる点検用アダプタ１の外観を示す図である。
【図６】図６は、実施の形態１にかかる点検用アダプタ１が実行する点検処理の手順を説明するフローチャートである。
【図７】図７は、実施の形態２にかかる点検用アダプタ２の機能的構成を説明するブロック図である。
【図８】図８は、実施の形態２にかかる点検用アダプタ２が実行する点検処理の手順を説明するフローチャートである。
【発明を実施するための形態】
【００１３】
以下に添付図面を参照して、この発明にかかる設備信号点検用アダプタおよび設備信号点検方法の最良な実施の形態を詳細に説明する。
【００１４】
（第１の実施の形態）
図１は、実施の形態１にかかる設備信号点検用アダプタ１が設置された遠隔監視システムを説明する図である。本実施の形態にかかる設備信号点検用アダプタ（以下、点検用アダプタと呼ぶ。）１は、図示するように、監視領域３に設けられた人感センサ、火災報知器等のセンサａ、センサｂ、…センサｎ（以下、特に限定しない場合、センサ４と称する。）と、警備装置５とに接続されて設置される。
【００１５】
通常の警備時には、センサ４は不審者や火災等の異常を検知した場合に、異常を通知する検知信号を点検用アダプタ１に送出する。点検用アダプタ１は、検知信号を受信した場合に、検知信号を警備装置５に送出する。警備装置５は検知信号を受信した場合に、インターネットや電話回線などからなるネットワーク６を介して監視センタ７に異常を通報する。
【００１６】
一方、点検時には、設備管理会社や警備会社等の点検担当者によってセンサ４が正常に動作するか否か点検が行われる。この点検により、センサ４が正常に動作して異常を検知すると、上述の検知信号を点検用アダプタ１に送出する。点検用アダプタ１は、受信した検知信号を初回の一度に限って警備装置５に送出する。警備装置５は、検知信号を受信した場合に、ネットワーク６を介して監視センタ７にセンサ４による検知があった旨を通報する。
【００１７】
図２は、実施の形態１にかかる点検用アダプタ１の外観を示す図である。点検用アダプタ１には、配線接続されたセンサ４から検知信号を受信する入力ポート８が、それぞれのセンサ４に対して１つずつ設けられている。また、配線接続された警備装置５に対し、受信した検知信号を送出する出力ポート９ａ、９ｂが設置されている。また、点検用アダプタ１は、点検を開始する際にボタンを押下することで警備状態と点検状態とを切替える切替ボタン１２と、点検状態である旨を液晶パネル等により表示させる表示パネル１０と、点検状態であることを点灯によって表示する表示ランプ１１とを具備している。詳細は、後述する。
【００１８】
図３は、実施の形態１にかかる点検用アダプタ１の機能的構成を説明するブロック図である。図示するように、実施の形態１にかかる点検用アダプタ１は、検知信号入力部１３と、検知信号出力部１４と、警備状態切替部１５と、点検信号出力部１６と、操作表示制御部１７と、点検管理制御部１８と、点検用ＤＢ（データベース）１９と、入力ポート８と、出力ポート９ａ、９ｂとを主に備えている。
【００１９】
検知信号入力部１３は、監視領域３に設けられたセンサ４から送出された検知信号を、入力ポート８を介して受信し、後述する検知信号出力部１４または点検信号出力部１６に検知信号を送出する。
【００２０】
警備状態切替部１５は、ユーザによって切替ボタン１２が操作された場合に、点検用アダプタ１を警備状態から点検状態に切替える。
【００２１】
ここで、警備状態とは、センサ４が異常を検知して検知信号を送出した場合に、受信した検知信号をそのまま警備装置５に送信する点検用アダプタ１の状態であって、これにより検知信号を受信した警備装置５が監視センタ７へ異常を通報する、通常の警備の状態である。
【００２２】
また、点検状態とは、点検作業に対してセンサ４が正常に動作して検知信号を送出した場合に、点検用アダプタ１が、検知信号を受信した初回の一度に限って警備装置５に検知信号を送出する状態である。
【００２３】
具体的には、警備状態切替部１５は、ユーザによって切替ボタン１２が押下された場合に、検知信号入力部１３と点検信号出力部１６とが接続されるよう、点検用アダプタ１内に設けられたスイッチング回路等の接続を切替える。
【００２４】
これにより、点検状態において、検知信号入力部１３に入力された検知信号は、点検信号出力部１６に設けられた出力ポート９ｂと、出力ポート９ｂに接続された点検専用の回線とを用いて、警備装置５に送出される。
【００２５】
また、警備状態切替部１５は、センサ４の点検終了後、ユーザによって切替ボタン１２が再度押下された場合に、点検状態を終了して警備状態に復帰させる。具体的には、警備状態切替部１５は、検知信号入力部１３と検知信号出力部１４とが接続されるよう、点検用アダプタ１内に設けられたスイッチング回路等の接続を切替える。
【００２６】
これにより、警備状態において、検知信号入力部１３に入力された検知信号は随時、検知信号出力部１４に設けられた出力ポート９ａと、出力ポート９ａに接続された警備用の回線とを介して、警備装置５に送出される。即ち、センサ４が異常を感知した場合に全て監視センタ７へ通報を行う警備状態に復帰する。
【００２７】
また、警備状態切替部１５は、点検状態に切り替わった後、一定時間が経過してもセンサ４から検知信号が入力されない場合に、点検状態は終了したと判断し、警備状態に切替える。
【００２８】
検知信号出力部１４は、警備状態においてセンサ４から検知信号が入力された場合に、出力ポート９ａと出力ポート９ａに接続された回線とを用いて、警備装置５に検知信号を送出する。
【００２９】
点検信号出力部１６は、点検状態においてセンサ４から検知信号が入力された場合に、出力ポート９ｂと出力ポート９ｂに接続された回線とを用いて、初回の一度に限り警備装置５に検知信号を送出する。
【００３０】
監視センタ７では、出力ポート９ｂに接続された回線から受信される検知信号は、点検作業における通報として監視を行う。
【００３１】
操作表示制御部１７は、警備状態切替部１５によって点検状態へ切替えられた場合に、図２に示すように、表示パネル１０に「点検中」等のメッセージを表示させ、さらに、表示ランプ１１を点灯させて、点検用アダプタ１は点検状態であることをユーザに表示する。また、操作表示制御部１７は、警備状態切替部１５によって点検状態が終了されて警備状態に復帰された場合に、表示パネル１０に表示した「点検中」等のメッセージ表示を終了し、さらに、表示ランプ１１を消灯させる。
【００３２】
また、操作表示制御部１７は、点検状態においてセンサｎから検知信号が入力された場合に、図４に示すように、表示パネル１０に「点検ＯＫ」等のメッセージを表示させて、当該センサｎの動作が正常であることをユーザに表示する。これにより、センサ４の検知信号を警備装置５を介して監視センタ７に通報しなくとも、点検用アダプタ１の表示パネル１０に表示されるメッセージを確認することで、それぞれのセンサ４が正常に動作しているか否かを確認することが可能となる。
【００３３】
さらに、操作表示制御部１７は、警備状態においてセンサｎから検知信号が入力された場合に、図５に示すように、表示パネル１０に「警報」等のメッセージを表示させて、センサｎからの警報があることをユーザに表示する。これにより、監視領域内の異常が検知された場合に、監視センタ７からの連絡や対処に先立ってその異常について対処することが可能となる。
【００３４】
点検管理制御部１８は、点検状態において、検知信号入力部１３に検知信号が入力された場合に、点検用ＤＢ１９に、検知信号を送出したセンサｎと、センサｎからの検知信号の入力があった旨とを対応付けて記憶させる。
【００３５】
点検用ＤＢ１９は、点検状態において、検知信号入力部１３に検知信号が入力された場合に、検知信号を送出したセンサｎと、センサｎからの検知信号の入力があった旨とを対応付けて記憶保存する。
【００３６】
次に、本実施の形態の点検用アダプタ１が行う処理の手順について説明する。図６は、実施の形態１にかかる点検用アダプタ１が実行する点検処理の手順を説明するフローチャートである。
【００３７】
警備状態切替部１５は、ユーザにより切替ボタン１２が押下されたか否かを判断する（ステップＳ１）。切替ボタン１２が押下されていない場合（ステップＳ１；Ｎｏ）、ステップＳ１に戻る。切替ボタン１２が押下された場合（ステップＳ１；Ｙｅｓ）、警備状態切替部１５は、警備状態から点検状態へ切替え、上述のように検知信号入力部１３と点検信号出力部１６とが接続されるよう切替える（ステップＳ２）。
【００３８】
その後、検知信号入力部１３は、センサ４から検知信号が入力されたか否かを判断し（ステップＳ３）、入力が無い間（ステップＳ３；Ｎｏ）は入力を待つ。検知信号入力部１３にセンサｎから検知信号が入力された場合（ステップＳ３；Ｙｅｓ）、操作表示制御部１７は、表示パネルにセンサｎの動作が正常である旨を表示する（ステップＳ４）。また、点検管理制御部１８は、検知信号を送出したセンサｎと、当該センサｎが異常を検知して検知信号を送出した旨を点検用ＤＢ１９に記憶保存する（ステップＳ４）。
【００３９】
さらに、点検信号出力部１６は、点検状態へ移行後初回の検知信号であるか否かを判定し（ステップＳ５）、初回の検知信号である場合（ステップＳ５；Ｙｅｓ）、受信した検知信号を警備装置５に送出し（ステップＳ６）、監視センタ７において通報が疎通したか否かの確認が行われる。検知信号が１回目では無い場合には（ステップＳ５；Ｎｏ）、検知信号が入力されても警備装置５に検知信号は送出せず、ステップＳ７に移行する。
【００４０】
初回の検知信号を警備装置５に送出した後、次のセンサ４の点検作業に移行する（ステップＳ７）。点検するセンサ４があるか無いかを判定し（ステップＳ８）、点検するセンサ４がある場合（ステップＳ８；Ｙｅｓ）、ステップＳ３へ移行し、全てのセンサ４の点検が終了するまでステップＳ３〜Ｓ７の点検作業を行う。
【００４１】
全てのセンサ４の点検が終了して、点検するセンサ４が無い場合（ステップＳ８；Ｎｏ）、警備状態切替部１５は、切替ボタン１２が再度押下されたか否か判定し（ステップＳ９）、押下されていない場合には押下されるのを待つ（ステップＳ９；Ｎｏ）。切替ボタン１２が押下された場合、または検知信号が入力されない状態であって切替ボタン１２が押下されない状態が所定の時間経過した場合に（ステップＳ９；Ｙｅｓ）、警備状態切替部１５は、点検状態を終了して警備状態へ復帰する（ステップＳ１０）。
【００４２】
このように本実施の形態の点検用アダプタ１は、点検状態では初回の一度のみ検知信号を警報装置５に送出して監視センタ７との疎通確認を行い、それ以外は、表示パネル１０に点検の結果を表示し、また、点検用ＤＢに点検の結果を記憶保存する。これにより、監視センタ７への不要な通報を削減することができ、監視センタ７での監視業務の負担を軽減することが出来る。また、点検作業中に、被監視設備内に設置された点検用アダプタ１によって、センサ４の応答を即時確認することが可能となる。
【００４３】
また、本実施の形態の点検用アダプタ１は、上述のように、警備状態で用いる回線と点検状態で用いる回線とを区別して通報するため、監視センタ７において、点検作業における通報と、警備状態において出力ポート９ａに接続された回線から受信する通報とを区別して監視することが可能となり、本来の通報と混同することなく、本来の監視業務を円滑に行うことができる。
【００４４】
また、本実施の形態の点検用アダプタ１は、上述のように、点検状態に切り替わった後、一定時間が経過してもセンサ４から検知信号が入力されない場合に、警備状態に切替える。このようにすることで、ユーザが切替ボタン１２を操作し忘れた場合に、自動的に警備状態に復帰することが可能となり、点検用アダプタ１を設置しても遠隔監視システムの安全性が保持できるという効果を奏する。
【００４５】
（第２の実施の形態）
実施の形態１にかかる点検用アダプタ１は、点検時にセンサ４からの検知信号を初回の１回目に限って警備装置５に送出したが、実施の形態２にかかる点検用アダプタ２は、点検作業中は警備装置５に検知信号を送出せず、点検作業が全て終了した時点で、警備装置５に１度のみ検知信号を送出し、監視センタ７への通報の疎通確認を行う。
【００４６】
図７は、実施の形態２にかかる点検用アダプタ２の機能的構成を説明するブロック図である。検知信号入力部１３と、検知信号出力部１４と、警備状態切替部１５と、操作表示制御部１７と、点検用ＤＢ１９と、点検管理制御部１８と、入力ポート８と、出力ポート９ａ、９ｂは、実施の形態１と同様の機能を有する為、ここでの説明を省略する。
【００４７】
点検信号出力部２６は、点検状態においてセンサ４から検知信号が入力された場合には、検知信号を警備装置５に送出せずに待機し、点検作業が終了し、ユーザによって切替ボタン１２が再度押下された場合に、一度のみ、出力ポート９ｂと出力ポート９ｂに接続された回線とを用いて、警備装置５に検知信号を送出する。
【００４８】
次に、実施の形態２にかかる点検用アダプタ２において行われる点検処理の手順について説明する。図８は、実施の形態２にかかる点検用アダプタ２が実行する点検処理の手順を説明するフローチャートである。
【００４９】
ステップＳ１〜Ｓ４は図６における説明と同様に行われ、警備状態切替部１５は、ユーザにより切替ボタン１２が押下されたか否かを判断する（ステップＳ１）。警備状態切替部１５は、切替ボタン１２が押下された場合（ステップＳ１；Ｙｅｓ）、警備状態から点検状態へ切替え、検知信号入力部１３と点検信号出力部２６とが接続されるよう切替える（ステップＳ２）。検知信号入力部１３は、センサ４から検知信号が入力されたか否かを判断し（ステップＳ３）、入力された場合（ステップＳ３；Ｙｅｓ）、操作表示制御部１７は、表示パネルにセンサｎの動作が正常である旨を表示する（ステップＳ４）。また、点検管理制御部１８は、検知信号を送出したセンサｎと、当該センサｎが異常を検知して検知信号を送出した旨を点検用ＤＢ１９に記憶保存する（ステップＳ４）。
【００５０】
点検用アダプタ２は、次のセンサ４の点検作業に移行する（ステップＳ７）。点検するセンサ４があるか無いかを判定し（ステップＳ８）、点検するセンサ４がある場合（ステップＳ８；Ｙｅｓ）、ステップＳ３へ移行し、全てのセンサ４の点検が終了するまでステップＳ３〜Ｓ７の点検作業を行う。
【００５１】
全てのセンサ４の点検が終了して、点検するセンサ４が無い場合（ステップＳ８；Ｎｏ）、警備状態切替部１５は、切替ボタン１２が再度押下されたか否か判定し（ステップＳ９）、押下されていない場合（ステップＳ９；Ｎｏ）には押下されるのを待つ。切替ボタン１２が押下された場合、または検知信号が入力されない状態であって切替ボタン１２が押下されない状態が所定の時間経過した場合（ステップＳ９；Ｙｅｓ）、点検信号出力部２６は、警備装置５に一度のみ検知信号を送信する（ステップＳ１１）。その後、警備状態切替部１５は、点検状態を終了して警備状態へ復帰する（ステップＳ１０）。
【００５２】
上述のように、本実施の形態の点検用アダプタ２は、点検状態が終了する際に一度のみ警備装置５に対して検知信号を送出し、監視センタ７へ通報する。このようにすることで、点検終了時の一度のみ回線を使用するようにできるため、点検作業中に通報のために回線を占有せずに済み、点検作業中にも設備の利用者が電話回線等を普段通り使用することが可能となる。さらに、切替ボタン１２を押して通報の疎通確認を行う際に、事前に設備の利用者に対して回線を使用する旨を通知できるため、利用者にとって利便性が向上するという効果を奏する。
【００５３】
なお、上記実施の形態では、入力ポート８は、それぞれのセンサ４に対して１つずつ設けられるとしたが、これに限定されるものではなく、センサ４からの検知信号を統括する制御盤などを設置し、制御盤からの信号を受ける入力ポートを１つ設けるように構成しても良い。
【００５４】
また、上記実施の形態では、点検状態においてセンサ４から検知信号が入力された場合に、点検信号出力部１６が、出力ポート９ｂと出力ポート９ｂに接続された回線とを用いて、一度のみ警備装置５に検知信号を送出するとしたが、これに限定されるものではない。例えば、点検状態において検知信号が入力された場合に、検知信号出力部１４が、出力ポート９ａと出力ポート９ａに接続された回線とを用いて、一度のみ警備装置５に検知信号を送出するように構成しても良い。
【００５５】
また、上記実施の形態では、点検用アダプタ１、２によって通常警備状態と点検状態とを切替え、監視センタ７への通報の切替を行っていたが、これに限定されるものではなく、警備装置５に同様の機能を備えさせて、警備装置側で実行するように構成するようにしても良い。
【符号の説明】
【００５６】
１、２  点検用アダプタ
３  監視領域
４、ａ、ｂ、ｎ  センサ
５  警備装置
６  ネットワーク
７  監視センタ
８  入力ポート
９、９ａ、９ｂ  出力ポート
１０  表示パネル
１１  表示ランプ
１２  切替ボタン
１３  検知信号入力部
１４  検知信号出力部
１５  警備状態切替部
１６、２６  点検信号出力部
１７  操作表示制御部
１８  点検管理制御部
１９  点検用データベース
【図１】
2010238189.tif 000003
【図２】
2010238189.tif 000004
【図３】
2010238189.tif 000005
【図４】
2010238189.tif 000006
【図５】
2010238189.tif 000007
【図６】
2010238189.tif 000008
【図７】
2010238189.tif 000009
【図８】
2010238189.tif 000010